(57)【要約】【課題】情報の読み込み（再生）や書き込み（記録）のなされる記録媒体としての光ディスクの変形を正常な状態に矯正することが可能な光ディスク矯正装置を提供することを課題とする。【解決手段】光ディスク２の情報の記録されないレーベル面２Ｂに押圧されることにより吸着される複数の吸盤１０と、この吸盤１０の取り付けられた合成樹脂製の本体フレーム３とを備え、この本体フレーム３の孔部５を中心として、十字型になるように本体フレーム３に吸盤１０を取り付けたので、変形している光ディスク２のレーベル面２Ｂを吸盤１０に吸着させることにより、合成樹脂製の本体フレーム３の復元力によって光ディスク２の変形を正常な状態に矯正することができる。【選択図】図１
2008112511.tif 000002
【特許請求の範囲】
【請求項１】
円盤状で中心に貫通孔を形成すると共に情報の記録再生が行われる光ディスクの変形を矯正する光ディスク矯正装置であって、前記光ディスクの情報記録面の反対側に位置する情報の記録されない反対面に押圧されることにより吸着される吸盤と、該吸盤の取り付けられた平板状の本体フレームとを備え、十字型になるように前記本体フレームに前記吸盤を取り付けたことを特徴とする光ディスク矯正装置。
【請求項２】
前記光ディスクに吸盤を吸着させた際、前記貫通孔の同心円上に、前記本体フレームに形成した孔部が配置されるように構成したことを特徴とする請求項１記載の光ディスク矯正装置。
【請求項３】
前記光ディスクに形成された前記貫通孔より、前記本体フレームに形成した前記孔部を大きく形成したことを特徴とする請求項２記載の光ディスク矯正装置。
【請求項４】
円盤状で中心に貫通孔を形成すると共に情報の記録再生が行われる光ディスクの変形を矯正する光ディスク矯正装置であって、前記光ディスクの情報記録面の反対側に位置する情報の記録されない反対面に貼り付けられる両面テープを、平板状の本体フレームの片面に貼り付け、前記光ディスクに形成された前記貫通孔より、前記本体フレームに形成した前記孔部を大きく形成したことを特徴とする光ディスク矯正装置。
【請求項５】
前記本体フレームは、前記孔部の形成された内側フレームと、該内側フレームに形成した前記孔部と同心円上で且つ同一平面上に配置すると共に、前記内側フレームの外側に該内側フレームと離間して配置された外側フレームと、該外側フレームと前記内側フレームとを一体に連結する連結部とにより構成され、該連結部と、前記内側フレームと、前記外側フレームとの３つの部材で囲まれた部位に、開口窓部を備えたことを特徴とする請求項1〜４の何れか１項に記載の光ディスク矯正装置。
【請求項６】
前記開口窓部の形状を、その円弧の両端を通る二つの半径の中心を前記孔部の中心とする略扇形に形成したことを特徴とする請求項５記載の光ディスク矯正装置。
【請求項７】
前記本体フレームの材質は、透明体の合成樹脂若しくは透光性を有する合成樹脂であることを特徴とする請求項１〜６の何れか１項に記載の光ディスク矯正装置。
【発明の詳細な説明】
【技術分野】
【０００１】
本発明は、情報の記録や再生を行うことが可能な光ディスクの変形を矯正する光ディスク矯正装置に関するものである。
【背景技術】
【０００２】
従来から映像、音声、画像、その他種々の情報を記録可能とする媒体であって、外観形状が円形で中央に円形の貫通孔を有する円盤状の記憶媒体、所謂ディスク状記憶媒体（以下、単にディスクと称す）は、このディスクを記録再生差装置の内部に搬送して前記ディスクに記録された情報を読み出し再生したり、或いは前記ディスクに対して情報を書き込み記録することが可能である。こうした記録再生差装置によるディスクの情報の記録又は再生を行う際には、記録再生差装置の故障などの不具合の他に、ディスクの反りなどの状態不良によって情報の記録又は再生が正常に行われない場合がある。このような不具合を解消するためディスクの撓みを矯正することが考えられるが、ディスクの撓みを矯正する専用のディスク矯正部材は、市場においてほとんど存在していないのが現状である。
【０００３】
特許文献１には、下端部に鍔状の光ディスク受け面を形成したスピンドルハブの外周に、複数の光ディスクとスペーサーリングとを交互に積層しており、前記複数枚の光ディスクの最上面を押圧するために、その押圧面に環状突起を設けられると共に複数枚の光ディスクの最上段の光ディスクと環状突起との間にトップスペーサーリングを介在し、環状突起の設けられたクランプリングの締結ねじによる押圧力は、最上段の光ディスクに直接作用しないようにすることで、光ディスクには均等な締付力が加わり光ディスクの反りを抑制するといった内容が開示されている。また、特許文献２〜特許文献１１には、光ディスクなどの部材の反りを矯正するものに関するものが開示されている。
【０００４】
【特許文献１】特開２０００−７６７６２号公報
【特許文献２】特開２００５−０６３５４１号公報
【特許文献３】特開２００４−０７１１４１号公報
【特許文献４】特開２００３−０１６６９３号公報
【特許文献５】特開２００２−２５１８６４号公報
【特許文献６】特開２００１−１７６１５８号公報
【特許文献７】特開２０００−１２４２９８号公報
【特許文献８】特開平１１−２１３４９５号公報
【特許文献９】特開平０８−１９５０２３号公報
【特許文献１０】特開平０７−２７２３２７号公報
【特許文献１１】特開平０７−０６５４２４号公報
【発明の開示】
【発明が解決しようとする課題】
【０００５】
しかし、特許文献１は、光ディスクの反りを矯正するという点では、本願発明と共通する目的ではあるが、特許文献１における光記録媒体の装着装置は、光ディスクの反りを矯正するための構造が複雑なことから、コスト高になることは否めない。また、一般市場に多く出回っている反りの大きな光ディスクの記録や再生時には、トラックがはずれたり、光ディスクから入出力される信号に悪影響をおよぼし、正常に、光ディスクに情報を読み込んだり書き込んだりできなくなるといった問題を有していた。また、特許文献２、及び特許文献４〜特許文献１１においても、光ディスクなどの部材の反りを矯正するための装置が大掛かりなものとなっているので、コスト高になることは否めない。また、特許文献３は、光ディスクの中心孔にハブを接着固定しなければならないので、構造的にはシンプルではあるが、その接着作業が煩わしくその作業に時間を要してしまう。
【０００６】
本案件は上述した課題に鑑みてなされたものであり、簡単且つ低コストで光ディスクの
反りなどの変形を矯正することが可能な光ディスク矯正装置を提供することを目的とする。
【課題を解決するための手段】
【０００７】
本発明の請求項１の光ディスク矯正装置は、円盤状で中心に貫通孔を形成すると共に情報の記録再生が行われる光ディスクの変形を矯正する光ディスクの矯正装置であって、前記光ディスクの情報記録面の反対側に位置する情報の記録されない反対面に押圧されることにより吸着される吸盤と、該吸盤の取り付けられた平板状の本体フレームとを備え、十字型になるように前記本体フレームに前記吸盤を取り付けたことを特徴とする。
【０００８】
本発明の請求項１の光ディスク矯正装置により、反るなどして変形している光ディスクを吸盤に吸着させると、吸盤を備えた平板状の本体フレームの復元力により光ディスクの変形が矯正される。
【０００９】
本発明の請求項２の光ディスク矯正装置は、請求項１記載の光ディスク矯正装置において、前記光ディスクに吸盤を吸着させた際、前記貫通孔の同心円上に、前記本体フレームに形成した孔部が配置されるように構成したことを特徴とする。
【００１０】
本発明の請求項２の光ディスク矯正装置により、光ディスクの記録や再生時などに光ディスクの貫通孔を回転のためにクランプする際、貫通孔の同心円上に、本体フレームに形成した孔部を有することにより、貫通孔をクランプする部品が貫通孔と同心円上に配置されても、貫通孔と同心円上に、孔部による空間部を確保することができ、光ディスクをクランプする部品が光ディスク矯正装置の一部に接触してしまうことを空間部により回避することができる。
【００１１】
本発明の請求項３の光ディスク矯正装置は、請求項２記載の光ディスク矯正装置において、前記光ディスクに形成された前記貫通孔より、前記本体フレームに形成した前記孔部を大きく形成したことを特徴とする。
【００１２】
本発明の請求項３の光ディスク矯正装置により、本体フレームの孔部は光ディスクの貫通孔より大きく形成されているので、貫通孔と同心円上に、孔部による空間部をより大きく採ることができるので、光ディスクをクランプする部品が、光ディスク矯正装置の一部に接触してしまうことを、貫通孔より大きい孔部の空間部により、より確実に回避することが可能となる。
【００１３】
本発明の請求項４の光ディスク矯正装置は、円盤状で中心に貫通孔を形成すると共に情報の記録再生が行われる光ディスクの変形を矯正する光ディスクの矯正装置であって、前記光ディスクの情報記録面の反対側に位置する情報の記録されない反対面に貼り付けられる両面テープを、平板状の本体フレームの片面に貼り付け、前記光ディスクに形成された前記貫通孔より、前記本体フレームに形成した前記孔部を大きく形成したことを特徴とする。
【００１４】
本発明の請求項４の光ディスク矯正装置により、変形している光ディスクの情報記録面の反対側に位置する情報の記録されないレーベル面などの反対面に両面テープを介して平板状の本体フレームを貼着させると、平板状の本体フレームの復元力により光ディスクの変形が矯正されると共に、光ディスクの記録や再生時などに光ディスクの貫通孔を回転のためにクランプする際には、貫通孔の同心円上に、この貫通孔より大きい本体フレームに形成した孔部を有することにより、貫通孔をクランプする部品が貫通孔と同心円上に配置されても、貫通孔と同心円上に、貫通孔より大きい孔部により空間部を大きく確保することができるので、光ディスクをクランプする部品が光ディスク矯正装置の一部に接触してしまうことを、貫通孔より大きい孔部の空間部で確実に回避することが可能となる。
【００１５】
本発明の請求項５の光ディスク矯正装置は、請求項1〜４の何れか１項に記載の光ディスク矯正装置において、前記本体フレームは、前記孔部の形成された内側フレームと、該内側フレームに形成した前記孔部と同心円上で且つ同一平面上に配置すると共に、前記内側フレームの外側に該内側フレームと離間して配置された外側フレームと、該外側フレームと前記内側フレームとを一体に連結する連結部とにより構成され、該連結部と、前記内側フレームと、前記外側フレームとの３つの部材で囲まれた部位に、開口窓部を備えたことを特徴とする。
【００１６】
本発明の請求項５の光ディスク矯正装置により、外側フレームと内側フレームとの間に開口窓部を備えるので、光ディスク矯正装置に取り付けた光ディスクのレーベル面などの表面を開口窓部を介して目視することができる。
【００１７】
本発明の請求項６の光ディスク矯正装置は、請求項５記載の光ディスク矯正装置において、前記開口窓部の形状を、その円弧の両端を通る二つの半径の中心を前記孔部の中心とする略扇形に形成したことを特徴とする。
【００１８】
本発明の請求項６の光ディスク矯正装置により、円盤状の光ディスクの形状に対応して、開口窓部を略扇形に形成したので、光ディスク矯正装置に取り付けた光ディスクのレーベル面などを、開口窓部を介して容易に視認することが可能となる。
【００１９】
本発明の請求項７の光ディスク矯正装置は、請求項１〜６の何れか１項に記載の光ディスク矯正装置において、前記本体フレームの材質は、透明体の合成樹脂若しくは透光性を有する合成樹脂であることを特徴とする。
【００２０】
本発明の請求項７の光ディスク矯正装置により、光ディスク矯正装置に取り付けた光ディスクのレーベル面などを目視する際、本体フレームは透明体若しくは透光性を有する材質であるので、本体フレームと重なってしまい隠れている光ディスクのレーベル面などの文字を一目して確認することができる。
【発明の効果】
【００２１】
請求項１の光ディスク矯正装置によれば、円盤状で中心に貫通孔を形成すると共に情報の記録再生が行われる光ディスクの変形を矯正する光ディスクの矯正装置であって、前記光ディスクの情報記録面の反対側に位置する情報の記録されない反対面に押圧されることにより吸着される吸盤と、該吸盤の取り付けられた平板状の本体フレームとを備え、十字型になるように前記本体フレームに前記吸盤を取り付けたので、変形している光ディスクを吸盤に吸着させると、本体フレームの復元力により光ディスクの変形を正常な状態に矯正することができる。
【００２２】
請求項２の光ディスク矯正装置によれば、請求項１記載の光ディスク矯正装置において、前記光ディスクに吸盤を吸着させた際、前記貫通孔の同心円上に、前記本体フレームに形成した孔部が配置されるように構成したので、光ディスクの記録や再生時などに光ディスクの貫通孔を回転のためにクランプする際、クランプするための部品が接触しないように、孔部による空間部で回避することができる。
【００２３】
請求項３の光ディスク矯正装置によれば、請求項２記載の光ディスク矯正装置において、前記光ディスクに形成された前記貫通孔より、前記本体フレームに形成した前記孔部を大きく形成したので、光ディスクの記録や再生時などに光ディスクの貫通孔を回転のためにクランプする際、クランプするための部品が接触しないように、光ディスクの貫通孔より大きい孔部の空間部により確実に回避することが可能となる。
【００２４】
請求項４の光ディスク矯正装置によれば、円盤状で中心に貫通孔を形成すると共に情報の記録再生が行われる光ディスクの変形を矯正する光ディスクの矯正装置であって、前記光ディスクの情報記録面の反対側に位置する情報の記録されない反対面に貼り付けられる両面テープを、平板状の本体フレームの片面に貼り付け、前記光ディスクに形成された前記貫通孔より、前記本体フレームに形成した前記孔部を大きく形成したので、平板状の本体フレームの復元力により光ディスクの変形を矯正できると共に、光ディスクの記録や再生時などに光ディスクの貫通孔を回転のためにクランプする際に、クランプするための部品が接触しないように、光ディスクの貫通孔より大きい孔部の空間部により確実に回避することが可能となる。
【００２５】
請求項５の光ディスク矯正装置によれば、請求項1〜４の何れか１項に記載の光ディスク矯正装置において、前記本体フレームは、前記孔部の形成された内側フレームと、該内側フレームに形成した前記孔部と同心円上で且つ同一平面上に配置すると共に、前記内側フレームの外側に該内側フレームと離間して配置された外側フレームと、該外側フレームと前記内側フレームとを一体に連結する連結部とにより構成され、該連結部と、前記内側フレームと、前記外側フレームとの３つの部材で囲まれた部位に、開口窓部を備えたので、この開口窓部から光ディスク矯正装置に取り付けた光ディスクのレーベル面などの内容を把握することができる。
【００２６】
請求項６の光ディスク矯正装置によれば、請求項５記載の光ディスク矯正装置において、前記開口窓部の形状を、その円弧の両端を通る二つの半径の中心を前記孔部の中心とする略扇形に形成したので、円盤状の光ディスクの形状に対応した略扇形の開口窓部から、光ディスク矯正装置に取り付けた光ディスクのレーベル面などの内容の視認性を向上することができる。
【００２７】
請求項７の光ディスク矯正装置によれば、請求項１〜６の何れか１項に記載の光ディスク矯正装置において、前記本体フレームの材質は、透明体の合成樹脂若しくは透光性を有する合成樹脂であるので、光ディスク矯正装置に取り付けた光ディスクのレーベル面などを目視する際、本体フレームは透明体若しくは透光性を有する材質であるので、本体フレームに隠れてしまったレーベル面の文字を一目して認識することができるので、より視認性を向上することができる。
【発明を実施するための最良の形態】
【００２８】
以下、本発明を実施するための最良の形態としての実施例を図１〜図１０により説明する。もちろん、本発明は、その発明の趣旨に反さない範囲で、実施例において説明した以外のものに対しても容易に適用可能なことは説明を要するまでもない。
【実施例１】
【００２９】
図１は光ディスク矯正装置に光ディスクを取り付けた状態を示す斜視図、図２は光ディスク矯正装置に光ディスクを取り付けた状態を示す断面図、図３は光ディスク矯正装置を上方から視た状態を示す斜視図、図４は光ディスク矯正装置を下方から視た状態を示す斜視図、図５は光ディスク矯正装置を示す平面図、図６は光ディスク矯正装置を示す正面図、図７は光ディスク矯正装置を示す断面図である。
【００３０】
図１〜図７に示す光ディスク矯正装置１は、平板状の記録媒体たる光ディスク２の変形を矯正するものであり、光ディスク矯正装置１の本体フレーム３は、透明若しくは透光性を有する合成樹脂製となっている。
【００３１】
本体フレーム３は、映像、音声、画像、その他種々の情報の記録可能な円盤状の記憶媒体たる光ディスク２の中心に形成された貫通孔４と同心円上に配置される孔部５の形成された内側フレーム６と、この内側フレーム６の孔部５と同心円上に配置された外側フレーム７と、この外側フレーム７と前記内側フレーム６とを一体に連結する連結部８とから構成され、連結部８と外側フレーム７と内側フレーム６とは同一平面上に配置され、本体フレーム３は平板状を成している。
【００３２】
図３〜図７に示すように、光ディスク矯正装置１には、光ディスク２を取り付けるための吸盤１０が本体フレーム３の片面側に一体的に複数取り付けられており、これら複数の吸盤１０は本体フレーム３の孔部５を中心として十字型に等角度で配列されており、連結部８と、内側フレーム６と、外側フレーム７との３つの部材で囲まれた部位には開口窓部１１を備え、吸盤１０に光ディスク２の情報記録面２Ａの反対側に位置する情報の記録されない反対面としての所謂レーベル面２Ｂを吸着させ、光ディスク矯正装置１に光ディスク２を取り付けた際、レーベル面２Ｂに表記された、文字、図形、模様などを、開口窓部１１を介して視認できるようになっている。なお、前記吸盤１０は、本体フレーム３の孔部５を中心として、その半径方向である４方向に２つずつ配置されている。吸盤１０を本体フレーム３の孔部５を中心として十字型に配置する理由としては、例えば、４方向に代えて３方向に吸盤を配置した場合であっても、光ディスク矯正装置に対して光ディスクを動かないように吸盤で保持することは可能であるが、例えば、３方向の内の１方向に配置された吸盤が光ディスクから外れてしまった際、２方向の吸盤を支点として、吸盤に吸着された光ディスクは光ディスク矯正装置に対して保持されずに動いてしまい好ましくない。また、例えば、前記４方向に代えて５方向以上に吸盤を配置した際には、たとえ１方向の吸盤が外れてしまっても、吸盤に吸着された光ディスクを、光ディスク矯正装置に対して動かないよう保持することは可能ではあるが、５方向以上に吸盤を配置するとなると、本体フレームに吸盤を取り付けるための部分を確保するために、開口窓部の大きさが小さくなってしまうことから、小さい開口窓部では、光ディスクのレーベル面の視認性が悪くなってしまう。よって、本実施例における光ディスク矯正装置１は、本体フレーム３の孔部５を中心として４方向に吸盤１０を配置した構成を採用している。
【００３３】
次に、光ディスク矯正装置１に光ディスク２を取り付ける手順を、図１及び図２に基づき以下に説明する。
【００３４】
先ず、光ディスク２の貫通孔４と光ディスク矯正装置１の孔部５とが、ほぼ同心円上に配置した状態で、光ディスク２のデータの記録されていないレーベル面２Ｂに光ディスク矯正装置１の吸盤１０を押圧することで、光ディスク矯正装置１と光ディスク２とを相互に吸着させる。この場合、平板状の本体フレーム３に設けられた複数の吸盤１０は同一平面上に配置されていることから、反りなどにより変形した光ディスク２を吸盤に吸着した状態では、合成樹脂製の本体フレーム３及び吸盤１０の復元力により光ディスク２の変形の矯正が行なわれる。従って、光ディスク矯正装置１と光ディスク２とを相互に取り付けることで、簡単に光ディスク２の矯正を行なうことが可能となり、しかも、光ディスク矯正装置１は従来のように複雑な構造を有さないことから、コストを安価に抑えることができる。
【００３５】
また、本実施例における光ディスク矯正装置１は、本体フレーム３の直径とほぼ同じ直径の光ディスク２を光ディスク矯正装置１に対して取り付けるためのものであるが、その場合、光ディスク２の記録や再生時に図示しない記録再生装置内でクランプされる光ディスク中心の貫通孔４より本体フレーム３の孔部５を大きく形成し、貫通孔４と孔部５とを同心円上に配置した状態で光ディスク矯正装置１と光ディスク２とを相互に取り付けた際には、光ディスク２の記録や再生時などにおいて、光ディスク２に取り付けた光ディスク矯正装置１が妨げになることなく光ディスク２の貫通孔４をクランプさせることができるので、光ディスク矯正装置１を取り付けた光ディスク２であっても、光ディスク２の情報を読み出したり書き込んだりして記録再生することが可能となる。よって、光ディスク２の記録や再生のたびに、いちいち光ディスク２を光ディスク矯正装置１から取り外すことが不要となり煩雑な前記取り外し作業をすることを回避することができる。
【００３６】
以上のように本実施例によれば、光ディスク２は、記録再生装置により光ディスク２の情報記録面２Ａにレーザー光を照射し、光ディスク２に対して情報の読み込みや書き込み（再生や記録）を行うことから、光ディスクの情報記録面２Ａに対して適切なレーザー光の照射を行うことが必要であり、記録再生装置に特段の不具合がない場合には、光ディスク２の記録再生に不具合が発生する要因は光ディスク２にあることが考えられ、こうした不具合要因は、熱や、その他の外的要因である、例えば光ディスクを製造する際の材料の違い、光ディスクの製造工程において残留応力を残してしまった場合、光ディスクの両面においてＣＤとＤＶＤとを張り合わせた光ディスク（所謂、貼り合せディスクと呼ばれるもの）等の線膨張係数が異なる材料を用いた光ディスクの場合、或いは光ディスクのレーベル面にラベルを貼着することによりディスクが引っ張られてしまい光ディスクが変形する場合等の光ディスクの変形によって、光ディスクの情報を正確に読み書きが行えない場合があるものの、本実施例における光ディスク矯正装置１を採用することにより光ディスク２の変形を矯正することができ、変形してしまった光ディスク２を正常に記録再生することが可能となる。
【００３７】
さらに、本実施例におけるディスク矯正装置１は、記録再生装置に構造的な特徴を追加して光ディスク２の変形の矯正をするものではなく、記録再生装置の内部に記録再生のために光ディスク２を搬入する前の段階において、光ディスク２に装着されるアダプタのような追加装置としてのディスク矯正装置１に特徴を有しており、シンプルな構造の光ディスク矯正装置１よって、光ディスク２の変形を極めて簡単に矯正することができる。
【００３８】
しかも、光ディスク２の情報の記録されない反対面たるレーベル面２Ｂに押圧されることにより吸着される複数の吸盤１０と、吸盤１０の取り付けられた平板状の本体フレーム３とを備え、この本体フレーム３の孔部５を中心として、十字型になるように本体フレーム３に吸盤１０を取り付けたので、変形している光ディスク２のレーベル面２Ｂを吸盤１０に吸着させると、本体フレーム３の復元力により光ディスク２の変形を正常な状態に矯正することができ、さらには、光ディスク２に吸盤１０を吸着するに際し、貫通孔４の同心円上に、本体フレーム３の孔部５が配置されるように構成したので、光ディスク２の記録や再生時などに光ディスク２の貫通孔４を回転のためにクランプする際、クランプするための部品が接触しないように、孔部５による空間部で回避することができる。なお、本体フレーム３に形成した孔部５は、光ディスク２に形成された貫通孔４より大きく形成したので、光ディスク２の記録や再生時などに光ディスク２の貫通孔４を回転のためにクランプする際、クランプするための部品が接触しないように、光ディスク２の貫通孔４より大きい孔部５の空間部により、一層確実に回避することが可能となる。
【００３９】
しかも、本体フレーム３は、孔部５の形成された内側フレーム６と、内側フレーム６に形成した孔部５と同心円上で且つ同一平面上に配置すると共に、内側フレーム６の外側にこの内側フレーム６と離間して配置された外側フレーム７と、この外側フレーム７と内側フレーム６とを一体に連結する連結部８とにより構成され、この連結部８と内側フレームと６外側フレーム７との３つの部材で囲まれた部位に、略扇形の開口窓部１１を備えたので、円盤状の光ディスク２の形状に対応した略扇形の開口窓部１１から、光ディスク矯正装置１に取り付けた光ディスク２のレーベル面２Ｂなどの内容を容易に把握できるので、ひいては視認性が向上することになる。
【００４０】
さらに、本体フレーム３の材質を透明体若しくは透光性を有する合成樹脂にすることにより、光ディスク矯正装置１に取り付けた光ディスク２のレーベル面２Ｂなどを目視する際、本体フレーム３は透明体若しくは透光性を有する材質であるので、本体フレーム３に隠れてしまったレーベル面２Ｂの文字、図形、或いは模様などを一目して認識することができるので、より視認性が向上することになる。
【実施例２】
【００４１】
図８及び図９は実施例２における光ディスク矯正装置であり、図８は光ディスク矯正装置を上方から視た状態を示す斜視図、図９は光ディスク矯正装置を下方から視た状態を示す斜視図である。
【００４２】
本実施例２では、本体フレーム３に吸盤を有さない点で実施例１とは異なっており、それ以外はほぼ実施例１とほぼ同様の構造を有しているので、前記実施例１と同一部分には同一符号を付しその詳細な説明を省略し、それ以外の部分について説明する。
【００４３】
図９に示すように実施例２の本体フレーム３の片面には、その全体に亘って両面テープ２０が貼着されており、光ディスク矯正装置１に光ディスク２のレーベル面２Ｂを取り付ける際は、両面テープ２０の図示しない保護紙を剥がして、本体フレーム３の片面と光ディスク２のレーベル面２Ｂとを直接面接触させた状態で相互に貼着させ取り付けるものであり、外的圧力などにより、光ディスク矯正装置１から光ディスク２が容易に外れてしまうことを、相互に面貼着することで確実に防止することが可能となる。
【００４４】
従って、光ディスク２の情報の記録されない反対面たるレーベル面２Ｂに貼り付けられる両面テープ２０を、合成樹脂製の本体フレーム３の片面に貼り付け、光ディスク２に形成された貫通孔４より、本体フレーム３に形成した孔部５を大きく形成したので、合成樹脂製の本体フレーム３の復元力により光ディスク２の変形を矯正できると共に、さらには、実施例１と同様に、光ディスク２の記録や再生時などに光ディスク２の貫通孔４を回転のためにクランプする際に、クランプするための部品が接触しないように、光ディスク２の貫通孔４より大きい孔部５の空間部により確実に回避することもできる。
【実施例３】
【００４５】
図１０は実施例３における光ディスク矯正装置を示したものであり、同図は光ディスク矯正装置を上方から視た状態を示す斜視図である。
【００４６】
本実施例３では、本体フレーム３に外側フレーム７を有さない点で実施例１とは異なっており、それ以外はほぼ実施例１とほぼ同様の構造を有しているので、前記実施例１と同一部分には同一符号を付しその詳細な説明を省略する。同図に示すように、本実施例３における本体フレーム３は、外側フレーム７を有さないので、光ディスク矯正装置１の構造を極めてシンプルとすることができ、より低コスト化を図った光ディスク矯正装置１を提供することが可能となる。
【００４７】
以上、本発明の実施例１〜３について詳述したが、本発明は、前記実施例に限定されるものでなく、本発明の要旨の範囲内で種々の変形実施が可能である。例えば、本発明の一例における本体フレーム３の材質は合成樹脂であるが、その材質に代えて、金属やセラミックなどを採用してもよく、本体フレームが曲がり難い材質であれば良いことは言うまでもない。
【図面の簡単な説明】
【００４８】
【図１】実施例１における光ディスク矯正装置に光ディスクを取り付けた状態を示す斜視図である。
【図２】同上、光ディスク矯正装置に光ディスクを取り付けた状態を示す断面図である。
【図３】同上、光ディスク矯正装置を上方から視た状態を示す斜視図である。
【図４】同上、光ディスク矯正装置を下方から視た状態を示す斜視図である。
【図５】同上、光ディスク矯正装置を示す平面図である。
【図６】同上、光ディスク矯正装置を示す正面図である。
【図７】同上、光ディスク矯正装置を示す断面図である。
【図８】実施例２における光ディスク矯正装置を上方から視た状態を示す斜視図である。
【図９】同上、光ディスク矯正装置を下方から視た状態を示す斜視図である。
【図１０】実施例３における光ディスク矯正装置を上方から視た状態を示す斜視図である。
【符号の説明】
【００４９】
４  貫通孔
１  光ディスクの矯正装置
２  光ディスク
２Ａ  情報記録面
２Ｂ  レーベル面（反対面）
３  本体フレーム
５  孔部
６  内側フレーム
７  外側フレーム
８  連結部
１０  吸盤
１１  開口窓部
２０  両面テープ
【図１】
2008112511.tif 000003
【図２】
2008112511.tif 000004
【図３】
2008112511.tif 000005
【図４】
2008112511.tif 000006
【図５】
2008112511.tif 000007
【図６】
2008112511.tif 000008
【図７】
2008112511.tif 000009
【図８】
2008112511.tif 000010
【図９】
2008112511.tif 000011
【図１０】
2008112511.tif 000012